(57)【特許請求の範囲】
【請求項１】
一の面部にこの面部の面積の半分以上の面積の開口部が設けられた筐体本体部と、
上記筐体部本体に設けられた一の支持溝に支持ピンを係合し、上記支持ピンが上記一の支持溝にガイドされて上記一の面部上を互いに同一方向にスライド可能に上記筐体部本体に支持されるとともに、互いにスライド方向にずれて一部が重ね合わせられた状態で上記開口部を閉蓋する第１及び第２の蓋体を備え、
上記支持溝は、上記開口部を閉蓋する位置にある上記第１及び第２の蓋体が上記開口部を開閉する方向にスライドするとき、上記１の面部上を水平にスライドするように上記支持ピンをガイドする直線部と、上記第１の蓋体が上記開口部を開口する方向に所定量スライドされたとき、上記第１の蓋体が上記筐体本体部の外方に向かって移動するように上記支持ピンをガイドする屈曲部と、上記第２の蓋体が上記開口部を閉塞した位置にあるとき、上記第２の蓋体に設けた支持ピンが進入して係合する上記直線部に対して傾斜して分岐された分岐部とを有し、
上記第２の蓋体とともに上記開口部を閉蓋した位置にある上記第１の蓋体が上記開口部を開蓋するする方向にスライドするとき、上記第２の蓋体は上記支持ピンを上記分岐部に係合させて停止状態を維持し、上記第１の蓋体が停止状態にある上記第２の蓋体に対しスライドされて上記第２の蓋体上にさらに重ね合わせられて上記第２の蓋体と一体化されたとき、上記第１の蓋体に設けられた上記支持ピンが上記屈曲部に至り、さらに上記第１の蓋体が上記開口部を開蓋する方向にスライドされることにより、上記支持ピンが上記屈曲部によりガイドされて上記第１の蓋体が上記筐体本体部の外方に向かって移動されるとともに、上記第２の蓋体が上記分岐部により上記支持ピンがガイドされて上記第１の蓋体の移動方向と同方向の上記筐体本体部の外方に向かって移動され、さらに、上記第１及び第２の蓋体が上記支持溝の直線部により上記支持ピンがガイドされてスライドされることにより上記開口部の全域を開蓋することを特徴とする電子機器用筐体。
【請求項２】
上記第１の蓋体は、上記一の支持溝に係合する１本の支持ピンを有し、上記第２の蓋体は、上記一の支持溝に係合する２本の支持ピンを有することを特徴とする請求項１記載の電子機器用筐体。
【請求項３】
上記第２の蓋体に設けた２本の支持ピンのうちの少なくとも１本は、上記第１の蓋体に設けた支持ピンより上記支持溝に深く進入され、
上記支持溝は、上記第１の蓋体の支持ピンよりも上記支持溝に対して深く進入された上記第２の蓋体の支持ピンが通過する部分が、上記第２の蓋体の支持ピンの長さに対応して、上記第１の蓋体の支持ピンのみが通過する部分よりも深く形成されていることを特徴とする請求項２記載の電子機器用筐体。
【請求項４】
上記第１の蓋体は、上記一の支持溝に係合する２本の支持ピンを有し、上記第２の蓋体は、上記一の支持溝に係合する２本の支持ピンを有することを特徴とする請求項１記載の電子機器用筐体。
【請求項５】
上記第１の蓋体と上記第２の蓋体との間には、上記第１の蓋体が停止状態にある上記第２の蓋体に対し所定量スライドされて上記第２の蓋体上に重ね合わせられたとき、相対係合して上記上記第１及び第２の蓋体を一体的に移動可能とする係合機構を備えることを特徴とする請求項１記載の電子機器用筐体。
【発明の詳細な説明】
【０００１】
【発明の属する技術分野】
本発明は、ディスクプレーヤ装置やディスクチェンジャ装置の如き電子機器を構成する電子機器用筐体に関する。
【０００２】
【従来の技術】
従来、いわゆるディスクプレーヤ装置やディスクチェンジャ装置の如き記録媒体を用いて情報信号の記録再生を行う電子機器が提案されている。このような電子機器においては、記録媒体の大きさに対して装置構成の小型化が図られている。
【０００３】
例えば、上記ディスクチェンジャ装置は、図１１に示すように、筐体本体部１内の一側側に配設されたディスクストッカ２４内に複数の記録ディスク２０１を積層状にして保持させ、このディスクストッカ２４内の記録ディスク２０１のうちの一を選択して該筐体本体部１内の他側側に移動させて、この一の記録ディスク２０１に対する情報信号の記録再生を行うように構成されている。
【０００４】
上記ディスクストッカ２４は、上記筐体本体部１の前面部２に設けられた開口部３を介して、前方側に向けて該筐体本体部１に対して入出操作される。
【０００５】
そして、このディスクチェンジャ装置において情報信号の記録再生をなされる一の記録ディスク２０１は、上記ディスクストッカ２４内に保持された他の記録ディスク２０１に対して一部分を重ねた状態で、ディスクテーブル２３に中央部のチャッキング孔２０３を保持されて回転操作される。
【０００６】
すなわち、このディスクチェンジャ装置を構成する電子機器用筐体においては、図２４及び図２５に示すように、前面部１０２に設けられる開口部１０３の横幅Ｗ1は、筐体本体部１０１の該前面部１０２の横幅Ｗ0の半分以上（例えば２／３程度）となっている。
【０００７】
そのため、このような電子機器用筐体においては、筐体本体部１０１の前面部１０２にこの前面部１０２の面積の半分以上の面積を有する開口部１０３が設けられ、この開口部１０３が該筐体本体部１０１に対してスライド可能な蓋体により開閉可能となされたものが提案されている。
【０００８】
例えば、図２４及び図２５に示すように、上記開口部１０３に対応した大きさの略々平板状の蓋体１０５を有し、この蓋体１０５が上記筐体本体部１０１に対してスライド可能に取り付けられて構成された電子機器用筐体が提案されている。
【０００９】
上記蓋体１０５は、それぞれ後方側に屈曲された上縁部分及び下縁部分にそれぞれ一対の支持ピン１１０，１１１を有している。これら支持ピン１１０，１１１は、上記蓋体１０５の上縁側においては下方側に向けて、該蓋体１０５の下縁側においては上方側に向けて、互いに対向された状態に突設されている。
【００１０】
そして、上記各支持ピン１１０，１１１は、上記筐体本体部１０１の前縁部分の上下各面部に設けられた支持溝１１３に対応して嵌入係合されて、上記蓋体１０５を該筐体本体部１０１に対して該支持溝１１３に沿う側方方向にスライド可能に取付けている。
【００１１】
上記蓋体１０５の前面部には、把手１０６が設けられている。
【００１２】
この電子機器用筐体においては、上記蓋体１０５は、図２４中矢印ａで示すように、上記開口部１０３より離間する方向にスライドされることにより、図２５に示すように、該開口部１０３を開蓋する。そして、上記開口部１０３に対しては、図２５中矢印ｂで示すように、上記ディスクストッカ２４が挿入される。
【００１３】
この電子機器用筐体においては、上記蓋体１０５をスライドさせて上記開口部１０３を開蓋させたとき、この蓋体１０５の一部は、この蓋体１０５のスライド方向（図２５において向かって右側）に、上記筐体本体部１０１の側面部よりも側方側に突出されることとなる。
【００１４】
このように、上記蓋体１０５が開蓋されたときにこの蓋体１０５が上記筐体本体部１０１の側面部よりも側方側に突出されることとなると、この電子機器用筐体を有して構成された電子機器は、該蓋体１０５の側方側に突出される部分を含めた大きさとして設置場所を選定される必要があるため、該設置場所が制約されることとなる。
【００１５】
そのため、上記電子機器用筐体としては、図２６乃至図２８に示すように、第１及び第２の蓋体１０５，１０４により上記開口部１０３を閉蓋するように構成したものが提案されている。
【００１６】
この電子機器用筐体においては、上記各蓋体１０５，１０４は、それぞれ上記開口部１０３の略々半分の面積を有する平板状に形成されている。
【００１７】
上記第１の蓋体１０５は、それぞれ後方側に屈曲された上縁部分及び下縁部分にそれぞれ一対の支持ピン１１０，１１１を有している。これら支持ピン１１０，１１１は、上記蓋体１０５の上縁側においては下方側に向けて、該蓋体１０５の下縁側においては上方側に向けて、互いに対向された状態に突設されている。そして、上記各支持ピン１１０，１１１は、上記筐体本体部１０１の前縁部分の上下各面部に設けられた支持溝１１３に対応して嵌入係合されて、上記蓋体１０５を該筐体本体部１０１に対して該支持溝１１３に沿う側方方向にスライド可能に取付けている。
【００１８】
また、上記第２の蓋体１０４は、一側側部分に、上端部分及び下端部分がそれぞれ後方側に屈曲された支持棒部１１２を有している。この支持棒部１１２の上端部分及び下端部分には、それぞれ支持ピンが設けられている。これら支持ピンは、上記支持棒部１１２の上端部分においては下方側に向けて、該支持棒部１１２の下端部分においては上方側に向けて、互いに対向された状態に突設されている。そして、これら支持ピンは、上記支持溝１１３に対応して嵌入係合されて、上記第２の蓋体１０４を該筐体本体部１０１に対して該支持溝１１３に沿う方向にスライド可能に取付けている。
【００１９】
上記第１の蓋体１０５の前面部には、把手１０６が設けられている。
【００２０】
この電子機器用筐体においては、上記第１の蓋体１０５は、上記開口部１０３を開蓋させる方向にスライドされることにより、図２７に示すように、該開口部１０３の約半分の部分を開蓋する。そして、この第１の蓋体１０５は、上記第２の蓋体１０４とともに上記開口部１０３を開蓋させる方向にスライドされることにより、図２８に示すように、該開口部１０３の全域を開蓋する。
【００２１】
この電子機器用筐体においては、上記各蓋体１０５，１０４をスライドさせて上記開口部１０３を開蓋させたとき、これら蓋体１０５，１０４は、これら蓋体１０５，１０４のスライド方向（図２８において向かって右側）に、上記筐体本体部１０１の側面部よりも側方側に突出されることがない。
【００２２】
また、上記電子機器用筐体としては、図２９乃至図３１に示すように、第１の蓋体１０５と、この第１の蓋体１０５をスライド可能に支持しつつ上記筐体本体部１０１にスライド可能に取付けられた第２の蓋体１０４により上記開口部１０３を閉蓋するように構成したものが提案されている。
【００２３】
この電子機器用筐体においては、上記第１の蓋体１０５は、上記開口部１０３の略々半分の面積を有する平板状に形成されている。そして、上記第２の蓋体１０４は、上記開口部１０３に略々対応した大きさの平板状に形成されているとともに、該開口部１０３の略々半分の面積を有する切り欠き部を有している。
【００２４】
上記第２の蓋体１０４は、それぞれ後方側に屈曲された上縁部分及び下縁部分にそれぞれ一対の支持ピン１１０，１１１を有している。これら支持ピン１１０，１１１は、上記蓋体１０５の上縁側においては下方側に向けて、該蓋体１０５の下縁側においては上方側に向けて、互いに対向された状態に突設されている。そして、上記各支持ピン１１０，１１１は、上記支持溝１１３に対応して嵌入係合されて、上記第２の蓋体１０４を該筐体本体部１０１に対して該支持溝１１３に沿う側方方向にスライド可能に取付けている。
【００２５】
また、上記第１の蓋体１０５は、上記第２の蓋体１０４の切り欠き部を閉蓋する状態に、該第２の蓋体１０４に取付けられている。この第１の蓋体１０５は、上記第２の蓋体１０４の切り欠き部を閉蓋する位置より該切り欠き部を開蓋させる位置とに亘って、該第２の蓋体１０４の上縁側及び下縁側の支持部１１４により、該第２の蓋体１０４に対してスライド可能に取付けられている。
【００２６】
上記第１の蓋体１０５の前面部には、把手１０６が設けられている。
【００２７】
この電子機器用筐体においては、上記第１の蓋体１０５は、上記開口部１０３を開蓋させる方向に上記第２の蓋体１０４に対してスライドされることにより、図３０に示すように、該開口部１０３の約半分の部分を開蓋する。そして、この第１の蓋体１０５は、上記第２の蓋体１０４とともに上記開口部１０３を開蓋させる方向にスライドされることにより、図３１に示すように、該開口部１０３の全域を開蓋する。
【００２８】
この電子機器用筐体においては、上記各蓋体１０５，１０４をスライドさせて上記開口部１０３を開蓋させたとき、これら蓋体１０５，１０４は、これら蓋体１０５，１０４のスライド方向（図３０において向かって右側）に、上記筐体本体部１０１の側面部よりも側方側に突出されることがない。
【００２９】
【発明が解決しようとする課題】
ところで、上述のように上記開口部１０３を開蓋させたときに上記各蓋体１０５，１０４が上記筐体本体部１０１の側面部より側方側に突出されないようにした電子機器用筐体において、図２６乃至図２８に示した該各蓋体１０５，１０４がそれぞれ該筐体本体部１０１に対して取付けられたものでは、該第１の蓋体１０５は、該筐体本体部１０１の前方側に位置してこの筐体本体部１０１に取付けられた該第２の蓋体１０４のさらに前方側に位置することとなる。
【００３０】
すなわち、この電子機器用筐体においては、上記各蓋体１０５，１０４が順次上記筐体本体部１０１の前方側に積層されるようにして配設されるため、前後方向の大きさが大きくなってしまう。
【００３１】
また、この電子機器用筐体においては、上記開口部１０３を閉蓋した状態において、上記筐体本体部１０１の前面部１０２と上記各蓋体１０５，１０４とが、順次階段状に位置されることとなり、デザインとして好ましいものではない。
【００３２】
そして、図２９乃至図３１に示した上記第２の蓋体１０４を上記筐体本体部１０１に対して取付け上記第１の蓋体１０５を該第２の蓋体１０４に取り付けた電子機器用筐体では、該第２の蓋体１０４は、該第１の蓋体１０５により閉蓋される切り欠き部を有するために、この切り欠き部の上下部分において剛性が不足し、上記開口部１０３の開閉操作中に変形する虞れがある。
【００３３】
また、この電子機器用筐体においては、上記各蓋体１０５，１０４を開蓋操作した状態においても、該第２の蓋体１０４の上記切り欠き部の上下部分が上記開口部１０３の前方側部分に残るため、該開口部１０３が完全に開蓋されない虞れがある。
【００３４】
そこで、本発明は、上述の実情に鑑みて提案されるものであって、一の面部にこの面部の面積の半分以上の面積を有する開口部が設けられこの開口部が蓋体により開閉可能となされた電子機器用筐体であって、構成が小型化され、また、堅牢性やデザイン性に優れた電子機器用筐体の提供という課題を解決しようとするものである。
【００３５】
【課題を解決するための手段】
上述の課題を解決するため、本発明に係る電子機器用筐体は一の面部にこの面部の面積の半分以上の面積の開口部が設けられた筐体本体部と、上記筐体部本体に設けられた一の支持溝に支持ピンを係合し、上記支持ピンが上記一の支持溝にガイドされて上記一の面部上を互いに同一方向にスライド可能に上記筐体部本体に支持されるとともに、互いにスライド方向にずれて一部が重ね合わせられた状態で上記開口部を閉蓋する第１及び第２の蓋体を備え、上記支持溝は、上記開口部を閉蓋する位置にある上記第１及び第２の蓋体が上記開口部を開閉する方向にスライドするとき、上記１の面部上を水平にスライドするように上記支持ピンをガイドする直線部と、上記第１の蓋体が上記開口部を開口する方向に所定量スライドされたとき、上記第１の蓋体が上記筐体本体部の外方に向かって移動するように上記支持ピンをガイドする屈曲部と、上記第２の蓋体が上記開口部を閉塞した位置にあるとき、上記第２の蓋体に設けた支持ピンが進入して係合する上記直線部に対して傾斜して分岐された分岐部とを有し、上記第２の蓋体とともに上記開口部を閉蓋した位置にある上記第１の蓋体が上記開口部を開蓋するする方向にスライドするとき、上記第２の蓋体は上記支持ピンを上記分岐部に係合させて停止状態を維持し、上記第１の蓋体が停止状態にある上記第２の蓋体に対しスライドされて上記第２の蓋体上にさらに重ね合わせられて上記第２の蓋体と一体化されたとき、上記第１の蓋体に設けられた上記支持ピンが上記屈曲部に至り、さらに上記第１の蓋体が上記開口部を開蓋する方向にスライドされることにより、上記支持ピンが上記屈曲部によりガイドされて上記第１の蓋体が上記筐体本体部の外方に向かって移動されるとともに、上記第２の蓋体が上記分岐部により上記支持ピンがガイドされて上記第１の蓋体の移動方向と同方向の上記筐体本体部の外方に向かって移動され、さらに、上記第１及び第２の蓋体が上記支持溝の直線部により上記支持ピンがガイドされてスライドされることにより上記開口部の全域を開蓋するようにしたものである。
【００３６】
この電子機器用筐体において、上記第１の蓋体は、上記一の支持溝に係合する１本の支持ピンを有し、上記第２の蓋体は、上記一の支持溝に係合する２本の支持ピンを有するように構成してもよい。
【００３７】
ここで、上記第２の蓋体に設けた２本の支持ピンのうちの少なくとも１本は、上記第１の蓋体に設けた支持ピンより上記支持溝に深く進入され、上記支持溝は、上記第１の蓋体の支持ピンよりも上記支持溝に対して深く進入された上記第２の蓋体の支持ピンが通過する部分が、上記第２の蓋体の支持ピンの長さに対応して、上記第１の蓋体の支持ピンのみが通過する部分よりも深く形成される。
【００３８】
また、本発明に係る電子機器用筐体においては、上記第１の蓋体は、上記一の支持溝に係合する２本の支持ピンを有し、上記第２の蓋体は、上記一の支持溝に係合する２本の支持ピンを有するようにしてもよい。
【００３９】
本発明に係る電子機器用筐体は、さらに、上記第１の蓋体と上記第２の蓋体との間には、上記第１の蓋体が停止状態にある上記第２の蓋体に対し所定量スライドされて上記第２の蓋体上に重ね合わせられたとき、相対係合して上記上記第１及び第２の蓋体を一体的に移動可能とする係合機構を備える。
【００４３】
【発明の実施の形態】
以下、本発明の実施の形態を図面を参照しながら説明する。
【００４４】
本発明に係る電子機器用筐体は、いわゆるディスクプレーヤ装置やディスクチェンジャ装置の如き電子機器のメカブロック部分を収納して、該メカブロック部分と共働して該電子機器を構成するものである。この実施の形態は、本発明に係る電子機器用筐体を、ディスクチェンジャ装置の一部をなすものとして構成したものである。
【００４５】
この電子機器用筐体は、図４及び図１１に示すように、略々直方体形状に形成された筐体本体部１を有している。この筐体本体部１は、一の面部である前面部２に、この前面部２の面積の半分以上の面積の開口部３を有している。この開口部３は、上記前面部２の一側側部分（図４において左側部分）より中央部分に亘り、矩形状に形成されている。
【００４６】
すなわち、この電子機器用筐体においては、図４及び図１１に示すように、上記前面部２に設けられる開口部３の横幅Ｗ1は、上記筐体本体部１の該前面部２の横幅Ｗ0の半分以上（例えば２／３程度）となっている。
【００４７】
この筐体本体部１内には、図１１に示すように、ディスクチェンジャ装置のメカブロック部が収納される。このディスクチェンジャ装置のメカブロック部は、上記筐体本体部１内の一側側に配設されたディスクストッカ２４内に複数の記録ディスク２０１を積層状にして保持させ、図１１中矢印Ｈで示すように、このディスクストッカ２４内の記録ディスク２０１のうちの一を選択して該筐体本体部１内の他側側に移動させて、この一の記録ディスク２０１に対する情報信号の記録再生を行うように構成されている。
【００４８】
上記ディスクストッカ２４は、上記筐体本体部１に対し、上記開口部３を介して、図１１中矢印Ｇ及び矢印Ｋで示すように、入出操作される。このディスクストッカ２４は、上記開口部３の横幅に略々対応した横幅を有している。
【００４９】
なお、上記記録ディスク２０１は、それぞれカートリッジ２０２に回転可能に収納されて、ディスクカートリッジを構成している。
【００５０】
そして、このディスクチェンジャ装置において情報信号の記録再生をなされる一の記録ディスク２０１は、上記筐体本体部１内の他側側に移動操作されて、上記ディスクストッカ２４内に保持された他の記録ディスク２０１に対して一部分を重ねた状態で、ディスクテーブル２３に中央部のチャッキング孔２０３を保持されて回転操作される。
【００５１】
上記ディスクテーブル２３の近傍には、このディスクテーブル２３上に保持された記録ディスク２０１に対して情報信号の書き込み、または、読み出しを行う光学ピックアップ装置や磁気ヘッド装置が設けられている。
【００５２】
そして、この電子機器用筐体は、図１乃至図４に示すように、上記筐体本体部１に対してそれぞれスライド可能に取付けられ上記前面部２上を互いに同一の方向である側方方向にスライド可能となされた第１及び第２の蓋体５，４を有している。
【００５３】
上記第１の蓋体５は、上記開口部３の面積の半分よりもやや大きい面積を有する矩形の平板状に形成されている。この第１の蓋体５の上縁部分及び下縁部分は、図５及び図６に示すように、それぞれ後方側に屈曲形成され、上記筐体本体部１の上側及び下側に進入されている。
【００５４】
上記蓋体５のそれぞれ後方側に屈曲された上縁部分及び下縁部分には、それぞれ支持ピン１９，１９が突設されている。これら支持ピン１９，１９は、上記第１の蓋体５の上縁部分においては下方側に向けて、該第１の蓋体５の下縁部分においては上方側に向けて、互いに対向された状態に突設されている。
【００５５】
そして、上記第１の蓋体５の各支持ピン１９，１９は、上記筐体本体部１の前縁部分の上下各面部に設けられた支持溝１３に上下より対応して嵌入係合されて、該第１の蓋体５を該筐体本体部１に対して該支持溝１３に沿う側方方向にスライド可能に取付けている。
【００５６】
すなわち、第１の蓋体５は、図７乃至図１０に示すように、一の支持溝１３に対して１本の支持ピン１９を有している。
【００５７】
上記第１の蓋体５の支持ピン１９，１９は、この第１の蓋体５のスライド方向が長手方向となる長円形（長方形）の断面を有する爪状に形成されている。また、上記蓋体１０５の前面部には、把手６が設けられている。
【００５８】
また、第２の蓋体４は、上記開口部３の面積の半分よりもやや大きい面積を有する矩形の平板状に形成されている。この第２の蓋体４の上縁部及び下縁部は、それぞれ後方側に屈曲形成され、上記筐体本体部１の上側及び下側に進入されている。
【００５９】
上記第２の蓋体４のそれぞれ後方側に屈曲された上縁部分及び下縁部分には、それぞれ一対の支持ピン１０，１１、１０，１１が突設されている。これら支持ピン１０，１１、１０，１１は、上記第２の蓋体４の上縁部分においては下方側に向けて、該第１の蓋体５の下縁部分においては上方側に向けて、互いに対向された状態に突設されている。
【００６０】
そして、上記第２の蓋体４の各支持ピン１０，１１、１０，１１は、上記支持溝１３に上下より対応して嵌入係合されて、該第２の蓋体４を該筐体本体部１に対して該支持溝１３に沿う側方方向にスライド可能に取付けている。
【００６１】
すなわち、第２の蓋体４は、図７乃至図１０に示すように、一の支持溝１３に対して２本の支持ピン１０，１１を有している。
【００６２】
このように、この電子機器用筐体においては、上記第１及び第２の蓋体５，４は、上記筐体本体部１に対するスライド方向に直交する方向に突出させた支持ピン１９、１０，１１を有し、該筐体本体部１に設けられた上記支持溝１３に該支持ピン１９、１０，１１を嵌入係合させることにより該筐体本体部１に対して取付けられている。
【００６３】
そして、上記第１及び第２の蓋体５，４は、一部または全部が互いに重ねられた状態となされ、該第２の蓋体４の前方側に該第１の蓋体５が位置している。また、上記第１及び第２の蓋体５，４の間は、上記筐体本体部１に対するスライド方向と同一の方向のみにスライド可能となるように、該第１の蓋体５に設けられたガイド爪１２，１２により、互いに支持されている。これらガイド溝１２，１２は、上記第１の蓋体５の後方側に屈曲形成された上縁部分及び下縁部分に、互いに対向する状態に突設され、上記第２の蓋体４の上縁部及び下縁部を支持している。
【００６４】
上記第２の蓋体４の一側側の縁部には、板バネ８が、前方側にやや突出された状態で取付けられている。また、上記第１の蓋体５の後面部には、一側側部分に位置して、上記板バネ８の先端側が嵌入係合する係合溝９が設けられている。上記各蓋体５，４が全面に亘って重ねられた状態においては、上記板バネ８の先端側が上記係合溝９に嵌入係合し、これら蓋体５，４の位置関係が維持されるようになされている。そして、これら蓋体５，４間に上記板バネ８を変位させる程度の力が加えられると、該板バネ８は、変位しつつ、上記係合溝９より抜け出すこととなる。
【００６５】
そして、上記各支持溝１３は、上記第２の蓋体４の支持ピン１０，１１に対応された第１及び第２の分岐部１４，１６を有する１本の溝である。これら分岐部１４，１６は、上記第２の蓋体４が上記開口部３の他側側部分を閉蓋する位置にあるときに、上記各支持ピン１０，１１、１０，１１にそれぞれ対応する位置に設けられ、上記支持溝１３より斜め後方側に向けて分岐された分岐部である。
【００６６】
また、上記支持溝１３は、上記筐体本体部１の一側側部分においては、後方側に向けてクランク状に屈曲されている。
【００６７】
すなわち、上記支持溝１３は、上記筐体本体部１の他側側より直線状に形成され、上記第１の分岐部１４を経て、該筐体本体部１の他側側部分より直線状に延長された第１の直線部１５を経、上記第２の分岐部１６を経、屈曲部１７を経て後方側に移り、該第１の直線部１５に平行な第２の直線部１８により、該筐体本体部１の一側側に至っている。上記屈曲部１７は、上記第１の蓋体５の支持ピン１９が斜め前後方向に通過可能な程度の幅を有して形成されている。
【００６８】
この電子機器用筐体においては、上記第１及び第２の蓋体５，４は、図１及び図７に示すように、互いにスライド方向にずれて互いの一部を重ね合わせ、該第１の蓋体５が該第２の蓋体４の前側（すなわち、上記筐体本体部１の外側）となった状態で、上記開口部３を閉蓋する。
【００６９】
このとき、上記第１の蓋体５の支持ピン１９は、上記支持溝１３の第２の直線部１８の一側側部分に位置している。また、上記第２の蓋体４の各支持ピン１０，１１は、上記支持溝１３の第１及び第２の分岐部１４，１６内に対応して位置している。また、このとき、上記第２の蓋体４の前面部は、上記筐体本体部１の前面部２に対して面一状態となされている。
【００７０】
そして、上記第１及び第２の蓋体５，４は、図２及び図８中に矢印Ａで示すように、該第１の蓋体５が上記開口部３を開蓋させる他側側方向にスライド操作されたときには、まず、該第２の蓋体４が停止したままで、該第１の蓋体５のみがスライドされる。
【００７１】
このとき、上記第１の蓋体５の支持ピン１９は、上記支持溝１３の第２の直線部１８の他側側部分、すなわち、上記屈曲部１７の近傍に至る。また、このとき、上記板バネ８が、上記係合溝９に嵌入係合する。
【００７２】
さらに、第１の蓋体５を開口部３を開蓋させる方向にスライド操作すると、図３及び図９中に矢印Ｂで示すように、第１及び第２の蓋体５，４は、一体的に、筐体本体部１の外方側、すなわち、斜め前方側に移動される。
【００７３】
このとき、上記第１の蓋体５の支持ピン１９は、上記屈曲部１７を経て、上記第１の直線部１５の一側側部分に至る。また、このとき、上記第２の蓋体４の支持ピン１０，１１は、上記各分岐部１４，１６より抜け出し、上記第１の直線部１５の他側側部分及び一側側部分に至る。このとき、上記第２の蓋体４は、上記筐体本体部１の前面部２の上記開口部３に臨む一側縁部に形成されたテーパ部７に沿って移動する。
【００７４】
さらに、第１の蓋体５を、開口部３を開蓋させる方向にスライド操作すると、図３及び図１０中に矢印Ｃで示すように、第１及び第２の蓋体５，４は、一体的にスライドされ、上記開口部３の全域を開蓋する。
【００７５】
このとき、上記第１及び第２の蓋体５，４の支持ピン１９、１０，１１は、上記支持溝１３内において、上記筐体本体部１の他側側の直線状部分に至っている。
【００７６】
上記開口部３を閉蓋する場合には、上記第１の蓋体５を該開口部３を閉蓋する一側側方向にスライドさせる。このとき、上記各蓋体５，４は、図９中矢印Ｄで示すように、一体的にスライドされ、該第１の蓋体５の支持ピン１９が上記第１の直線部１５の一側側部分に至り、該第２の蓋体４の支持ピン１０，１１が上記第１の直線部１５の他側側部分及び一側側部分に至る位置となされる。
【００７７】
さらに上記第１の蓋体５を上記開口部３を閉蓋する方向にスライドさせると、上記各蓋体５，４は、図８中矢印Ｅで示すように、一体的に、斜め後方側に移動される。このとき、上記第１の蓋体５の支持ピン１９は、上記屈曲部１７を経て、上記第２の直線部１８の他側側部分に至る。また、このとき、上記第２の蓋体４の支持ピン１０，１１は、上記各分岐部１４，１６内に進入する。
【００７８】
さらに上記第１の蓋体５を上記開口部３を閉蓋する方向にスライドさせると、上記各蓋体５，４は、図７中矢印Ｆで示すように、該第２の蓋体４が停止されたままで、該第１の蓋体５のみがスライドされ、該開口部３を閉蓋させる。このとき、上記第１の蓋体５の支持ピン１９は、上記第２の直線部１８の一側側部分に至る。
【００７９】
そして、この電子機器用筐体においては、上記第２の蓋体４の支持ピン１０，１１のうちの少なくとも１本、すなわち、他側側の支持ピン１０は、この第２の蓋体４の一側側の支持ピン１１よりも長く、また、上記第１の蓋体５の支持ピン１９よりも上記支持溝１３に対して深く進入されるようになされている。
【００８０】
そして、上記支持溝１３は、上記第１の蓋体５の支持ピン１９よりもこの支持溝１３に対して深く進入される上記第２の蓋体４の他側側の支持ピン１０が通過する部分、すなわち、上記筐体本体部１の他側側の直線部分より上記第１の分岐部１４までの部分が、この第２の蓋体４の他側側の支持ピン１０の長さに対応して、該第１の蓋体５の支持ピン１９のみが通過する部分、すなわち、上記第１の直線部１５、上記屈曲部１７及び上記第２の直線部１８よりも深く形成されている。
【００８１】
この電子機器用筐体においては、上記第２の蓋体４は、他側側の支持ピン１０が一側側の支持ピン１１より長く形成され、上記支持溝１３において上記筐体本体部１の他側側の直線部分より上記第１の分岐部１４までの部分が深く形成されていることにより、該第１の分岐部１４を通過して直線状に移動されることがない。
【００８２】
また、この電子機器用筐体においては、上記第１の蓋体５の支持ピン１９は、該第１の蓋体５のスライド方向が長手方向となる長円形（長方形）の断面を有する爪状に形成されているので、上記第１及び第２の分岐部１４，１６に進入することがなく、確実に上記屈曲部１７に至るまで上記支持溝１３内を移動操作される。
【００８３】
そして、本発明に係る電子機器用筐体においては、図１２乃至図１５に示すように、上記第１の蓋体５に一の支持溝１３に対して２本の支持ピン１９，１１を設け、上記第２の蓋体４に一の支持溝１３に対して１本の支持ピン１０を設けて構成してもよい。
【００８４】
この場合には、上述した実施の形態と同様に、上記第１及び第２の蓋体５，４の間は、上記筐体本体部１に対するスライド方向と同一の方向のみにスライド可能となるように、上記ガイド爪１２により互いに支持させる。
【００８５】
そして、上記支持溝１３は、上記筐体本体部１の他側側より直線状に形成され、上記第１の分岐部１４を経て直線状に延在された第１の直線部１５と、該第１の分岐部１４の一側側に隣接する第２の分岐部１６を経て該第１の直線部１５の後方側に位置してこの第１の直線部１５に平行に形成された第３の直線部２５とに分岐し、また、該第１の直線部１５の一側側より上記屈曲部１７を経て後方側に移り、該第１の直線部１５に平行な第２の直線部１８により、該筐体本体部１の一側側に至るものとして形成される。
【００８６】
この電子機器用筐体においては、上記第１及び第２の蓋体５，４が上記開口部３を閉蓋しているとき、上記第１の蓋体５の一側側の支持ピン１９は、上記支持溝１３の第２の直線部１８の一側側部分に位置している。また、上記第１の蓋体５の他側側の支持ピン１１は、上記支持溝１３の第３の直線部２５の一側側部分に位置している。そして、上記第２の蓋体４の支持ピン１０は、上記支持溝１３の第１の分岐部１４内に位置している。
【００８７】
また、このとき、上記第２の蓋体４の前面部は、上記筐体本体部１の前面部２に対して面一状態となされている。
【００８８】
そして、上記第１及び第２の蓋体５，４は、図１３中に矢印Ａで示すように、該第１の蓋体５が上記開口部３を開蓋させる他側側方向にスライド操作されたときには、まず、該第２の蓋体４が停止したままで、該第１の蓋体５のみがスライドされる。
【００８９】
このとき、上記第１の蓋体５の一側側の支持ピン１９は、上記支持溝１３の第２の直線部１８の他側側部分、すなわち、上記屈曲部１７の近傍に至る。また、上記第１の蓋体５の他側側の支持ピン１１は、上記支持溝１３の第３の直線部２５の他側側部分、すなわち、上記第２の分岐部１６の近傍に至る。さらに、このとき、上記板バネ８が、上記係合溝９に嵌入係合する。
【００９０】
さらに、第１の蓋体５を上記開口部３を開蓋させる方向にスライド操作すると、図１４中に矢印Ｂで示すように、第１及び第２の蓋体５，４は、一体的に、上記筐体本体部１の外方側、すなわち、斜め前方側に移動される。
【００９１】
このとき、上記第１の蓋体５の一側側の支持ピン１９は、上記屈曲部１７を経て、上記第１の直線部１５の一側側部分に至る。また、上記第１の蓋体５の他側側の支持ピン１１は、上記第２の分岐部１６を経て、上記第１の直線部１５の他側側部分に至る。そして、このとき、上記第２の蓋体４の支持ピン１０は、上記第１の分岐部１４より抜け出す。このとき、上記第２の蓋体４は、上記筐体本体部１の前面部２の上記開口部３に臨む一側縁部に形成されたテーパ部７に沿って移動する。
【００９２】
さらに、第１の蓋体５を上記開口部３を開蓋させる方向にスライド操作すると、図１５中に矢印Ｃで示すように、第１及び第２の蓋体５，４は、一体的にスライドされ、上記開口部３の全域を開蓋する。
【００９３】
このとき、上記第１及び第２の蓋体５，４の支持ピン１９，１１、１０は、上記支持溝１３内において、上記筐体本体部１の他側側の直線状部分に至っている。
【００９４】
上記開口部３を閉蓋する場合には、上記第１の蓋体５を該開口部３を閉蓋する一側側方向にスライドさせる。このとき、上記各蓋体５，４は、図１４中矢印Ｄで示すように、一体的にスライドされ、該第１の蓋体５の一側側の支持ピン１９が上記第１の直線部１５の一側側部分に至り、該第１の蓋体５の他側側の支持ピン１１が上記第１の直線部１５の他側側部分に至り、該第２の蓋体４の支持ピン１０が上記第１の分岐部１４の近傍に至る位置となされる。
【００９５】
さらに上記第１の蓋体５を上記開口部３を閉蓋する方向にスライドさせると、上記各蓋体５，４は、図１３中矢印Ｅで示すように、一体的に、斜め後方側に移動される。このとき、上記第１の蓋体５の一側側の支持ピン１９は、上記屈曲部１７を経て、上記第２の直線部１８の他側側部分に至る。また、このとき、上記第１の蓋体５の他側側の支持ピン１１は、上記第２の分岐部１６を経て、上記第３の直線部２５の他側側部分に至る。そして、上記第２の蓋体４の支持ピン１０は、上記第１の分岐部１４内に進入する。
【００９６】
さらに上記第１の蓋体５を上記開口部３を閉蓋する方向にスライドさせると、上記各蓋体５，４は、図１２中矢印Ｆで示すように、該第２の蓋体４が停止されたままで、該第１の蓋体５のみがスライドされ、該開口部３を閉蓋させる。このとき、上記第１の蓋体５の一側側の支持ピン１９は、上記第２の直線部１８の一側側部分に至る。また、このとき、上記第１の蓋体５の他側側の支持ピン１１は、上記第３の直線部２５の一側側部分に至る。
【００９７】
この電子機器用筐体においても、上記第２の蓋体４の支持ピン１０は、上記第１の蓋体５の各支持ピン１９，１１よりも上記支持溝１３に対して深く進入されるようになされている。
【００９８】
そして、上記支持溝１３は、上記第２の蓋体４の支持ピン１０が通過する部分、すなわち、上記筐体本体部１の他側側の直線部分より上記第１の分岐部１４までの部分が、この第２の蓋体４の支持ピン１０の長さに対応して、該第１の蓋体５の支持ピン１９，１１のみが通過する部分、すなわち、上記第１の直線部１５、上記第２の分岐部１６、上記第３の直線部分２５、上記屈曲部１７及び上記第２の直線部１８よりも深く形成されている。
【００９９】
この電子機器用筐体においては、上記第２の蓋体４は、上記支持ピン１０が上記第１の蓋体５の支持ピン１９，１１より長く形成され、上記支持溝１３において上記筐体本体部１の他側側の直線部分より上記第１の分岐部１４までの部分が深く形成されていることにより、該第１の分岐部１４を通過して直線状に移動されることがない。
【０１００】
また、この電子機器用筐体においては、上記第１の蓋体５の一側側の支持ピン１９は、該第１の蓋体５のスライド方向が長手方向となる長円形（長方形）の断面を有する爪状に形成されており、上記第１及び第２の分岐部１４，１６に進入することがなく、確実に上記屈曲部１７に至るまで上記支持溝１３内を移動操作される。
【０１０１】
そして、本発明に係る電子機器用筐体においては、図１６乃至図１９に示すように、上記第１の蓋体５に一の支持溝１３に対して１本の支持ピン１９を設け、上記第２の蓋体４に一の支持溝１３に対して１本の支持ピン１０を設けて構成してもよい。
【０１０２】
この場合には、上述した実施の形態と同様に、上記第１及び第２の蓋体５，４の間は、上記筐体本体部１に対するスライド方向と同一の方向のみにスライド可能となるように、上記ガイド爪１２により互いに支持させる。
【０１０３】
そして、上記支持溝１３は、上記筐体本体部１の他側側より直線状に形成され、第１の分岐部１４を経て直線状に延在された第１の直線部１５を経て、上記屈曲部１７を経て後方側に移り、該第１の直線部１５に平行な第２の直線部１８により、該筐体本体部１の一側側に至るものとして形成される。
【０１０４】
この電子機器用筐体においては、上記第１及び第２の蓋体５，４が上記開口部３を閉蓋しているとき、上記第１の蓋体５の支持ピン１９は、上記支持溝１３の第２の直線部１８の一側側部分に位置している。また、上記第２の蓋体４の支持ピン１０は、上記支持溝１３の第１の分岐部１４内に位置している。
【０１０５】
また、このとき、上記第２の蓋体４の前面部は、上記筐体本体部１の前面部２に対して面一状態となされている。
【０１０６】
そして、上記第１及び第２の蓋体５，４は、図１７中に矢印Ａで示すように、該第１の蓋体５が上記開口部３を開蓋させる他側側方向にスライド操作されたときには、まず、該第２の蓋体４が停止したままで、該第１の蓋体５のみがスライドされる。
【０１０７】
このとき、上記第１の蓋体５の支持ピン１９は、上記支持溝１３の第２の直線部１８の他側側部分、すなわち、上記屈曲部１７の近傍に至る。また、このとき、上記板バネ８が、上記係合溝９に嵌入係合する。
【０１０８】
さらに、第１の蓋体５を上記開口部３を開蓋させる方向にスライド操作すると、図１８中に矢印Ｂで示すように、第１及び第２の蓋体５，４は、一体的に、上記筐体本体部１の外方側、すなわち、斜め前方側に移動される。
【０１０９】
このとき、上記第１の蓋体５の支持ピン１９は、上記屈曲部１７を経て、上記第１の直線部１５の一側側部分に至る。また、このとき、上記第２の蓋体４の支持ピン１０は、上記第１の分岐部１４より抜け出す。このとき、上記第２の蓋体４は、上記筐体本体部１の前面部２の上記開口部３に臨む一側縁部に形成されたテーパ部７に沿って移動する。
【０１１０】
さらに、第１の蓋体５を上記開口部３を開蓋させる方向にスライド操作すると、図１９中に矢印Ｃで示すように、第１及び第２の蓋体５，４は、一体的にスライドされ、上記開口部３の全域を開蓋する。
【０１１１】
このとき、上記第１及び第２の蓋体５，４の支持ピン１９，１０は、上記支持溝１３内において、上記筐体本体部１の他側側の直線状部分に至っている。
【０１１２】
上記開口部３を閉蓋する場合には、上記第１の蓋体５を該開口部３を閉蓋する一側側方向にスライドさせる。このとき、上記各蓋体５，４は、図１８中矢印Ｄで示すように、一体的にスライドされ、該第１の蓋体５の支持ピン１９が上記第１の直線部１５の一側側部分に至り、該第２の蓋体４の支持ピン１０が上記第１の分岐部１４の近傍に至る位置となされる。
【０１１３】
さらに上記第１の蓋体５を上記開口部３を閉蓋する方向にスライドさせると、上記各蓋体５，４は、図１７中矢印Ｅで示すように、一体的に、斜め後方側に移動される。このとき、上記第１の蓋体５の支持ピン１９は、上記屈曲部１７を経て、上記第２の直線部１８の他側側部分に至る。また、上記第２の蓋体４の支持ピン１０は、上記第１の分岐部１４内に進入する。
【０１１４】
さらに上記第１の蓋体５を上記開口部３を閉蓋する方向にスライドさせると、上記各蓋体５，４は、図１６中矢印Ｆで示すように、該第２の蓋体４が停止されたままで、該第１の蓋体５のみがスライドされ、該開口部３を閉蓋させる。このとき、上記第１の蓋体５の支持ピン１９は、上記第２の直線部１８の一側側部分に至る。
【０１１５】
この電子機器用筐体においても、上記第２の蓋体４の支持ピン１０は、上記第１の蓋体５の各支持ピン１９よりも上記支持溝１３に対して深く進入されるようになされている。
【０１１６】
そして、上記支持溝１３は、上記第２の蓋体４の支持ピン１０が通過する部分、すなわち、上記筐体本体部１の他側側の直線部分より上記第１の分岐部１４までの部分が、この第２の蓋体４の支持ピン１０の長さに対応して、該第１の蓋体５の支持ピン１９のみが通過する部分、すなわち、上記第１の直線部１５、上記屈曲部１７及び上記第２の直線部１８よりも深く形成されている。
【０１１７】
この電子機器用筐体においては、上記第２の蓋体４は、上記支持ピン１０が上記第１の蓋体５の支持ピン１９より長く形成され、上記支持溝１３において上記筐体本体部１の他側側の直線部分より上記第１の分岐部１４までの部分が深く形成されていることにより、該第１の分岐部１４を通過して直線状に移動されることがない。
【０１１８】
また、この電子機器用筐体においては、上記第１の蓋体５の支持ピン１９は、該第１の蓋体５のスライド方向が長手方向となる長円形（長方形）の断面を有する爪状に形成されており、上記第１の分岐部１４に進入することがなく、確実に上記屈曲部１７に至るまで上記支持溝１３内を移動操作される。
【０１１９】
そして、本発明に係る電子機器用筐体においては、図２０乃至図２３に示すように、上記第１の蓋体５に一の支持溝１３に対して２本の支持ピン１９，２２を設け、上記第２の蓋体４に一の支持溝１３に対して２本の支持ピン１０，１１を設けて構成してもよい。
【０１２０】
そして、上記支持溝１３は、上記筐体本体部１の他側側より直線状に形成され、上記第１の分岐部１４を経て直線状に延在された第１の直線部１５と、該第１の分岐部１４の一側側に隣接する第３の分岐部２０を経て該第１の直線部１５の後方側に位置してこの第１の直線部１５に平行に形成された第３の直線部２１とに分岐し、また、該第１の直線部１５の一側側の上記第２の分岐部１６を経て、さらに、上記屈曲部１７を経て後方側に移り、該第１の直線部１５に平行な第２の直線部１８により、該筐体本体部１の一側側に至るものとして形成される。
【０１２１】
この電子機器用筐体においては、上記第１及び第２の蓋体５，４が上記開口部３を閉蓋しているとき、上記第１の蓋体５の一側側の支持ピン１９は、上記支持溝１３の第２の直線部１８の一側側部分に位置している。また、上記第１の蓋体５の他側側の支持ピン２２は、上記支持溝１３の第３の直線部２１の一側側部分に位置している。そして、上記第２の蓋体４の各支持ピン１０，１１は、上記支持溝１３の第１及び第２のの分岐部１４，１６内に対応して位置している。
【０１２２】
また、このとき、上記第２の蓋体４の前面部は、上記筐体本体部１の前面部２に対して面一状態となされている。
【０１２３】
そして、上記第１及び第２の蓋体５，４は、図２１中に矢印Ａで示すように、該第１の蓋体５が上記開口部３を開蓋させる他側側方向にスライド操作されたときには、まず、該第２の蓋体４が停止したままで、該第１の蓋体５のみがスライドされる。
【０１２４】
このとき、上記第１の蓋体５の一側側の支持ピン１９は、上記支持溝１３の第２の直線部１８の他側側部分、すなわち、上記屈曲部１７の近傍に至る。また、上記第１の蓋体５の他側側の支持ピン２２は、上記支持溝１３の第３の直線部２１の他側側部分、すなわち、上記第３の分岐部２０の近傍に至る。さらに、このとき、上記板バネ８が、上記係合溝９に嵌入係合する。
【０１２５】
さらに、第１の蓋体５を上記開口部３を開蓋させる方向にスライド操作すると、図２２中に矢印Ｂで示すように、第１及び第２の蓋体５，４は、一体的に、上記筐体本体部１の外方側、すなわち、斜め前方側に移動される。
【０１２６】
このとき、上記第１の蓋体５の一側側の支持ピン１９は、上記屈曲部１７を経て、上記第１の直線部１５の一側側部分に至る。また、上記第１の蓋体５の他側側の支持ピン２２は、上記第３の分岐部２０を経て、上記第１の直線部１５の他側側部分に至る。そして、このとき、上記第２の蓋体４の各支持ピン１０，１１は、上記第１及び第２の分岐部１４，１６より抜け出す。このとき、上記第２の蓋体４は、上記筐体本体部１の前面部２の上記開口部３に臨む一側縁部に形成されたテーパ部７に沿って移動する。
【０１２７】
さらに、第１の蓋体５を上記開口部３を開蓋させる方向にスライド操作すると、図２３中に矢印Ｃで示すように、第１及び第２の蓋体５，４は、一体的にスライドされ、上記開口部３の全域を開蓋する。
【０１２８】
このとき、上記第１及び第２の蓋体５，４の支持ピン１９，２２、１０，１１は、上記支持溝１３内において、上記筐体本体部１の他側側の直線状部分に至っている。
【０１２９】
上記開口部３を閉蓋する場合には、上記第１の蓋体５を該開口部３を閉蓋する一側側方向にスライドさせる。このとき、上記各蓋体５，４は、図２２中矢印Ｄで示すように、一体的にスライドされ、該第１の蓋体５の一側側の支持ピン１９が上記第１の直線部１５の一側側部分に至り、該第１の蓋体５の他側側の支持ピン２２が上記第１の直線部１５の他側側部分に至り、該第２の蓋体４の各支持ピン１０，１１が上記第１及び第２の分岐部１４，１６の近傍に至る位置となされる。
【０１３０】
さらに上記第１の蓋体５を上記開口部３を閉蓋する方向にスライドさせると、上記各蓋体５，４は、図２１中矢印Ｅで示すように、一体的に、斜め後方側に移動される。このとき、上記第１の蓋体５の一側側の支持ピン１９は、上記屈曲部１７を経て、上記第２の直線部１８の他側側部分に至る。また、このとき、上記第１の蓋体５の他側側の支持ピン２２は、上記第３の分岐部２０を経て、上記第３の直線部２１の他側側部分に至る。そして、上記第２の蓋体４の各支持ピン１０，１１は、上記第１及び第２の分岐部１４，１６内に進入する。
【０１３１】
さらに上記第１の蓋体５を上記開口部３を閉蓋する方向にスライドさせると、上記各蓋体５，４は、図２０中矢印Ｆで示すように、該第２の蓋体４が停止されたままで、該第１の蓋体５のみがスライドされ、該開口部３を閉蓋させる。このとき、上記第１の蓋体５の一側側の支持ピン１９は、上記第２の直線部１８の一側側部分に至る。また、このとき、上記第１の蓋体５の他側側の支持ピン２２は、上記第３の直線部２１の一側側部分に至る。
【０１３２】
この電子機器用筐体においても、上記第２の蓋体４の他側側の支持ピン１０は、この第２の蓋体４の一側側の支持ピン１１及び上記第１の蓋体５の各支持ピン１９，２２より上記支持溝１３に対して深く進入されるようになされている。
【０１３３】
そして、上記支持溝１３は、上記第２の蓋体４の他側側の支持ピン１０が通過する部分、すなわち、上記筐体本体部１の他側側の直線部分より上記第１の分岐部１４までの部分が、この第２の蓋体４の支持ピン１０の長さに対応して、この第２の蓋体４の一側側の支持ピン１１及び上記第１の蓋体５の支持ピン１９，２２のみが通過する部分、すなわち、上記第１の直線部１５、上記第３の分岐部２０、上記第３の直線部分２１、上記第２の分岐部１６、上記屈曲部１７及び上記第２の直線部１８よりも深く形成されている。
【０１３４】
この電子機器用筐体においては、上記第２の蓋体４は、上記他側側の支持ピン１０が、この第２の蓋体４の一側側の支持ピン１１及び上記第１の蓋体５の支持ピン１９，２２より長く形成され、上記支持溝１３において上記筐体本体部１の他側側の直線部分より上記第１の分岐部１４までの部分が深く形成されていることにより、該第１の分岐部１４を通過して直線状に移動されることがない。
【０１３５】
また、この電子機器用筐体においては、上記第１の蓋体５の一側側の支持ピン１９は、該第１の蓋体５のスライド方向が長手方向となる長円形（長方形）の断面を有する爪状に形成されており、上記第１乃至第３の分岐部１４，１６，２０に進入することがなく、確実に上記屈曲部１７に至るまで上記支持溝１３内を移動操作される。
【０１３６】
【発明の効果】
上述のように、本発明に係る電子機器用筐体においては、一の面部にこの面部の面積の半分以上の面積の開口部を有する筐体本体部と、該筐体本体部に対してそれぞれスライド可能に取付けられ該一の面部上を互いに同一の方向にスライド可能となされた第１及び第２の蓋体とを備えている。
【０１３７】
そして、この電子機器用筐体においては、上記第１及び第２の蓋体は、互いにスライド方向にずれて互いの一部を重ね合わせ該第１の蓋体が該第２の蓋体の外側となった状態で上記開口部を閉蓋する。
【０１３８】
また、この電子機器用筐体においては、第１の蓋体が開口部を開蓋させる方向にスライド操作されたときには、まず、第２の蓋体が停止したまま第１の蓋体のみがスライドされ、次に、第１及び第２の蓋体が一体的に筐体の外方に向かって移動され、さらに、該１及び第２の蓋体が一体的にスライドされて、開口部の全域を開蓋する。
【０１３９】
すなわち、本発明は、一の面部にこの面部の面積の半分以上の面積を有する開口部が設けられこの開口部が蓋体により開閉可能となされた電子機器用筐体であって、構成が小型化され、また、堅牢性やデザイン性に優れた電子機器用筐体を提供することができるものである。
【０１４０】
そして、本発明に係る電子機器用筐体において、第１及び第２の蓋体は、これら蓋体に設けた支持ピンを筐体本体部に設けた一の支持溝に係合して筐体本体部にスライド可能に取付けられているので、支持溝の構成を簡素でき、製作の容易化を図ることができる。
【０１４１】
また、本発明に係る電子機器用筐体において、第２の蓋体に設けた２本の支持ピンのうちの１本は、第１の蓋体に設けた支持ピンよりも支持溝に対して深く進入され、支持溝は、第１の蓋体の支持ピンよりもこの支持溝に対して深く進入された第２の蓋体の支持ピンが通過する部分がこの第２の蓋体の支持ピンの長さに対応して第１の蓋体の支持ピンのみが通過する部分よりも深く形成することにより、第２の蓋体の支持ピンは、所定の移動経路を外れて移動されることがなく、第２の蓋体を確実にガイドする。
【図面の簡単な説明】
【図１】本発明に係る電子機器用筐体の閉蓋状態を示す斜視図である。
【図２】上記電子機器用筐体の開蓋途中の状態を示す斜視図である。
【図３】上記電子機器用筐体の開蓋状態を示す斜視図である。
【図４】上記電子機器用筐体の構成を示す分解斜視図である。
【図５】上記電子機器用筐体の要部の構成を示す側方側より臨んだ要部縦断面図である。
【図６】上記電子機器用筐体の要部の構成を示す後方側より臨んだ要部縦断面図である。
【図７】上記電子機器用筐体の閉蓋状態における要部の構成を一部を破断して示す要部平面図である
【図８】上記電子機器用筐体の開蓋途中の状態における要部の構成を一部を破断して示す要部平面図である
【図９】上記電子機器用筐体の開蓋途中の状態における要部の構成を一部を破断して示す要部平面図である
【図１０】上記電子機器用筐体の開蓋状態における要部の構成を一部を破断して示す要部平面図である
【図１１】上記電子機器用筐体を有して構成される電子機器の構成を示す横断面図である。
【図１２】上記電子機器用筐体の閉蓋状態における要部の構成の他の例を一部を破断して示す要部平面図である
【図１３】上記図１２に示した電子機器用筐体の開蓋途中の状態における要部の構成を一部を破断して示す要部平面図である
【図１４】上記図１２に示した電子機器用筐体の開蓋途中の状態における要部の構成を一部を破断して示す要部平面図である
【図１５】上記図１２に示した電子機器用筐体の開蓋状態における要部の構成を一部を破断して示す要部平面図である
【図１６】上記電子機器用筐体の閉蓋状態における要部の構成のさらに他の例を一部を破断して示す要部平面図である
【図１７】上記図１６に示した電子機器用筐体の開蓋途中の状態における要部の構成を一部を破断して示す要部平面図である
【図１８】上記図１６に示した電子機器用筐体の開蓋途中の状態における要部の構成を一部を破断して示す要部平面図である
【図１９】上記図１６に示した電子機器用筐体の開蓋状態における要部の構成を一部を破断して示す要部平面図である
【図２０】上記電子機器用筐体の閉蓋状態における要部の構成のさらに他の例を一部を破断して示す要部平面図である
【図２１】上記図２０に示した電子機器用筐体の開蓋途中の状態における要部の構成を一部を破断して示す要部平面図である
【図２２】上記図２０に示した電子機器用筐体の開蓋途中の状態における要部の構成を一部を破断して示す要部平面図である
【図２３】上記図２０に示した電子機器用筐体の開蓋状態における要部の構成を一部を破断して示す要部平面図である
【図２４】従来の電子機器用筐体の閉蓋状態における構成を示す斜視図である。
【図２５】上記従来の電子機器用筐体の開蓋状態を示す斜視図である。
【図２６】従来の電子機器用筐体の閉蓋状態における構成の他の例を示す斜視図である。
【図２７】上記図２６に示した従来の電子機器用筐体の開蓋途中の状態を示す斜視図である。
【図２８】上記図２６に示した従来の電子機器用筐体の開蓋状態を示す斜視図である。
【図２９】従来の電子機器用筐体の閉蓋状態における構成のさらに他の例を示す斜視図である。
【図３０】上記図２９に示した従来の電子機器用筐体の開蓋途中の状態を示す斜視図である。
【図３１】上記図２９に示した従来の電子機器用筐体の開蓋状態を示す斜視図である。
【符号の説明】
１  筐体本体部
２  前面部
３  開口部
４  第２の蓋体
５  第１の蓋体
１０  第２の蓋体の支持ピン
１１  第１の蓋体の支持ピン
１１  第２の蓋体の支持ピン
１２  ガイド爪
１３  支持溝
１４  第１の分岐部
１５  第１の直線部
１６  第２の分岐部
１７  屈曲部
１８  第２の直線部
１９  第１の蓋体の支持ピン
２２  第１の蓋体の支持ピン
【図１】
0003744028.tif 000002
【図２】
0003744028.tif 000003
【図３】
0003744028.tif 000004
【図４】
0003744028.tif 000005
【図５】
0003744028.tif 000006
【図６】
0003744028.tif 000007
【図７】
0003744028.tif 000008
【図８】
0003744028.tif 000009
【図９】
0003744028.tif 000010
【図１０】
0003744028.tif 000011
【図１１】
0003744028.tif 000012
【図１２】
0003744028.tif 000013
【図１３】
0003744028.tif 000014
【図１４】
0003744028.tif 000015
【図１５】
0003744028.tif 000016
【図１６】
0003744028.tif 000017
【図１７】
0003744028.tif 000018
【図１８】
0003744028.tif 000019
【図１９】
0003744028.tif 000020
【図２０】
0003744028.tif 000021
【図２１】
0003744028.tif 000022
【図２２】
0003744028.tif 000023
【図２３】
0003744028.tif 000024
【図２４】
0003744028.tif 000025
【図２５】
0003744028.tif 000026
【図２６】
0003744028.tif 000027
【図２７】
0003744028.tif 000028
【図２８】
0003744028.tif 000029
【図２９】
0003744028.tif 000030
【図３０】
0003744028.tif 000031
【図３１】
0003744028.tif 000032